(57)【要約】【課題】亜鉛華軟膏を備える救急絆創膏として、いつでもどこでも便利に使用できる絆創膏を提供する。【解決手段】軟膏薬を備える絆創膏は、基材シート１の一方の面に、薬剤部２と貼着部３とを設けている。薬剤部２は、基材シート１の表面に、亜鉛華軟膏を含む軟膏薬層５を設けており、さらに、軟膏薬層５の表面には剥離できる保護フィルム６を積層している。貼着部３は、基材シート１の表面に粘着層７を設けて、その表面に剥離シート８を積層している。この絆創膏は、保護フィルム６を剥離して軟膏薬層５を表出させると共に、剥離シート８を剥離して粘着層７を表出させて、軟膏薬層５を患部に当てた状態で粘着層７を皮膚または基材シート１に貼着して、軟膏薬層５を患部に接触させる。【選択図】図２
2005334547.tif 000002
【特許請求の範囲】
【請求項１】
基材シート(1)の一方の面に、薬剤部(2)と貼着部(3)とを設けてなる絆創膏であって、
薬剤部(2)は、基材シート(1)の表面に、亜鉛華軟膏を含む軟膏薬層(5)を設けており、さらに、軟膏薬層(5)の表面には剥離できる保護フィルム(6)を積層しており、
貼着部(3)は、基材シート(1)の表面に粘着層(7)を設けて、その表面に剥離シート(8)を積層しており、
保護フィルム(6)を剥離して軟膏薬層(5)を表出させると共に、剥離シート(8)を剥離して粘着層(7)を表出させて、軟膏薬層(5)を患部に当てた状態で粘着層(7)を皮膚または基材シート(1)に貼着して、軟膏薬層(5)を患部に接触させるようにしてなることを特徴とする軟膏薬を備える絆創膏。
【請求項２】
基材シート(1)の表面に、支持体(4)を介して亜鉛華軟膏を含む軟膏薬層(5)を設けている請求項１に記載される軟膏薬を備える絆創膏。
【請求項３】
支持体(4)が、ガーゼ、ネット、リント布、コットン、不織布、織布、綿、プラスチックシートのいずれか、あるいはこれらの複数を積層したものである請求項２に記載される軟膏薬を備える絆創膏。
【請求項４】
基材シート(1)が長方形で、中央部に薬剤部(2)を設けると共に、薬剤部(2)の両側に貼着部(3)を設けてなる請求項１ないし３のいずれかに記載される軟膏薬を備える絆創膏。
【請求項５】
基材シート(1)が正方形ないし長方形で、中央部に薬剤部(2)を設けると共に、薬剤部(2)の外周部に貼着部(3)を設けてなる請求項１ないし３のいずれかに記載される軟膏薬を備える絆創膏。
【請求項６】
基材シート(1)が帯状で、一方の端部に薬剤部(2)を設けると共に、他方の端部に貼着部(3)を設けてなる請求項１ないし３のいずれかに記載される軟膏薬を備える絆創膏。
【請求項７】
保護フィルム(6)を複数枚に分割すると共に、互いに隣接する保護フィルム(6)の境界部を軟膏薬層(5)の中央部に位置させており、各々の保護フィルム(6)を軟膏薬層(5)の中央部側から剥離して軟膏薬層(5)を表出させるようにしてなる請求項１ないし６のいずれかに記載される軟膏薬を備える絆創膏。
【請求項８】
保護フィルム(6)と剥離シート(8)が連続するシートである請求項１ないし７のいずれかに記載される軟膏薬を備える絆創膏。
【発明の詳細な説明】
【技術分野】
【０００１】
本発明は、皮膚の患部に貼着して使用される絆創膏に関し、とくに、亜鉛華軟膏を備える絆創膏に関する。
【背景技術】
【０００２】
傷をしたときの治療用の救急絆創膏は開発されて使用されている。この種の絆創膏で最も一般的なものは、粘着シートの中央部に乾燥されたガーゼを配設し、このガーゼにアクリノール等の薬剤を含浸させている（非特許文献１参照）。この絆創膏は、ガーゼの部分で傷口を保護できるので、傷口からバイ菌が侵入するのを有効に防止できる特長がある。
【非特許文献１】ニチバンホームページ、“救急絆創膏”、［online］、２００４年、ＮＩＣＨＩＢＡＮ、［平成１６年４月検索］、インターネット、＜ＵＲＬ：http//www.nichiban.co.jp/medical/product/health/product/oq-ecor＞
【０００３】
しかしながら、この種の絆創膏は、患部に当てる部分に、アクリノール等の殺菌剤を含浸させているだけなので、傷口を消毒・保護する作用はあるものの、それ以上の治癒効果が期待できない。したがって、この絆創膏を使用して患部を治癒する場合には、他の薬剤を患部に塗布する必要があり、不便である。
【０００４】
ところで、皮膚に塗布して使用される薬剤として、軟膏薬、とくに、亜鉛華（酸化亜鉛）を含有する軟膏が従来より使用されている。酸化亜鉛には、刺激の緩和、分泌物の吸収、防腐、乾燥、収斂作用があることが知られている。このため、亜鉛華を含有する軟膏は、皮膚の保護作用や消炎作用が期待でき、また、ある程度の抗菌作用あるため、種々の皮膚疾患に対して、万能的に機能する皮膚用の外用薬として、長期にわたって用いられてきた。とくに、近年、多量使用が問題視されてるステロイド剤（副腎皮質ホルモン）や抗生物質などのように、強い成分は含まれていないので、繰り返し使用できる外用薬として使用されている。
【発明の開示】
【発明が解決しようとする課題】
【０００５】
この亜鉛華を含有する軟膏は、現在、多くの製薬会社から販売されているが、これらの軟膏は、専用の容器に入れられており、使用時には、この容器から適量をとって、患部に塗布する必要があり、いつでもどこでも便利に使用できるものではない。したがって、この亜鉛華を含有する軟膏を備える救急絆創膏があれば、いつでもどこでも便利に使用できると共に、治癒効果の高い外用薬として極めて有効に使用できる。
【０００６】
本発明は、従来のこのような欠点を解決することを目的に開発されたものである。本発明の重要な目的は、救急絆創膏としていつでもどこでも便利に使用できると共に、亜鉛華軟膏を備える外用薬として治癒効果を期待できる軟膏薬を備える絆創膏を提供することにある。
【課題を解決するための手段】
【０００７】
本発明の軟膏薬を備える絆創膏は、基材シート１の一方の面に、薬剤部２と貼着部３とを設けている。薬剤部２は、基材シート１の表面に、亜鉛華軟膏を含む軟膏薬層５を設けており、さらに、この軟膏薬層５の表面には剥離できる保護フィルム６を積層している。貼着部３は、基材シート１の表面に粘着層７を設けて、その表面に剥離シート８を積層している。この絆創膏は、保護フィルム６を剥離して軟膏薬層５を表出させると共に、剥離シート８を剥離して粘着層７を表出させて、軟膏薬層５を患部に当てた状態で粘着層７を皮膚または基材シート１に貼着して、軟膏薬層５を患部に接触させる。
本明細書において、亜鉛華軟膏とは、日本薬局方に定められた「亜鉛華軟膏」のみを意味するものでなく、亜鉛華（酸化亜鉛）を含有する軟膏を意味するものとする。したがって、本明細書において、亜鉛華軟膏とは、たとえば、日本薬局方亜鉛華軟膏、亜鉛華単軟膏、アクリノール・亜鉛華軟膏、ほう酸亜鉛華軟膏（Bor Zink Salbe）等を含む広い意味で使用する。
【０００８】
本発明の軟膏薬を備える絆創膏は、基材シート１の表面に、支持体４を介して亜鉛華軟膏を含む軟膏薬層５を設けることができる。この支持体４は、ガーゼ、ネット、リント布、コットン、不織布、織布、綿、プラスチックシートのいずれか、あるいはこれらの複数を積層したものとすることができる。
【０００９】
本発明の軟膏薬を備える絆創膏は、基材シート１を長方形として、中央部に薬剤部２を設けて、薬剤部２の両側に貼着部３を設けることができる。また、本発明の軟膏薬を備える絆創膏は、基材シート１を正方形ないし長方形として、中央部に薬剤部２を設けて、薬剤部２の外周部に貼着部３を設けることができる。さらにまた、本発明の軟膏薬を備える絆創膏は、基材シート１を帯状として、一方の端部ないし中央部に薬剤部２を設けて、他方の端部に貼着部３を設けることができる。
【００１０】
さらに、本発明の軟膏薬を備える絆創膏は、保護フィルム６を複数枚に分割すると共に、互いに隣接する保護フィルム６の境界部を軟膏薬層５の中央部に位置させて、各々の保護フィルム６を軟膏薬層５の中央部側から剥離して軟膏薬層５を表出させることができる。さらにまた、本発明の軟膏薬を備える絆創膏は、保護フィルム６と剥離シート８を連続するシートとすることができる。
【発明の効果】
【００１１】
本発明の軟膏薬を備える絆創膏は、救急絆創膏としていつでもどこでも便利に使用できると共に、治癒効果を期待できる外用薬として有効に使用できる特長がある。それは、本発明の絆創膏が、基材シートの一方の面に、薬剤部と貼着部とを設けており、この薬剤部には、亜鉛華軟膏を含む軟膏薬層を設けているからである。この絆創膏は、薬剤部の保護シートを剥離して軟膏薬層を表出させ、この軟膏薬層を患部に当てた状態で、貼着部の粘着層を皮膚または基材シートに貼着して軟膏薬層を患部に接触できる。したがって、従来から皮膚治療に多用されてきた亜鉛華軟膏を、極めて簡単に患部に作用させて治療できる。
【００１２】
本発明の請求項２に記載される絆創膏は、基材シートの表面に、支持体を介して亜鉛華軟膏を含む軟膏薬層を設けているので、この支持体によって、軟膏薬層を基材シートから剥離しないようにしっかりと保持できる特長がある。
【００１３】
本発明の請求項４に記載される絆創膏は、中央部に薬剤部を設けて、その両側に貼着部を設けているので、患部に軟膏薬層を当てた状態で、患部の両側に貼着部の粘着層を付着させて、最も簡単な構造で軟膏薬層を患部に保持できる。
【００１４】
本発明の請求項５に記載される絆創膏は、中央部に薬剤部を設けて、その外周部に貼着部を設けているので、薬剤部の周辺の全ての部分を皮膚に貼着させて、基材シートと皮膚の間から軟膏薬が露出したり、溢れ出るのを有効に防止できると共に、患部に雑菌が侵入するのを有効に阻止できる特長がある。
【００１５】
本発明の請求項６に記載される絆創膏は、粘着層を、直接、皮膚に貼着することなく、指や腕等に巻き付けた基材シートの表面に貼着できるので、皮膚が粘着層に負けてかぶれるのを有効に防止できる特長がある。
【００１６】
本発明の請求項７に記載される絆創膏は、保護フィルムを複数枚に分割すると共に、互いに隣接する保護フィルムの境界部を軟膏薬層の中央部に位置させているので、各々の保護フィルムを軟膏薬層の中央部側から剥離して簡単かつスムーズに軟膏薬層を表出させることができる。とくに、この構造の絆創膏は、保護フィルムを剥離するときに、軟膏薬層が保護フィルムに付着するのを有効に防止して、軟膏薬層を基材シート側に保持できる特長がある。
【００１７】
さらに、本発明の請求項８に記載される絆創膏は、保護フィルムと剥離シートを連続するシートとしているので、１枚のシートを剥離することによって、保護フィルムと剥離シートとを剥離でき、軟膏薬層と粘着層とを簡単かつ容易に表出できる。
【発明を実施するための最良の形態】
【００１８】
以下、本発明の実施例を図面に基づいて説明する。ただし、以下に示す実施例は、本発明の技術思想を具体化するための軟膏薬を備える絆創膏を例示するものであって、本発明は軟膏薬を備える絆創膏を以下に特定しない。
【００１９】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。なお、各図面が示す部材の大きさや位置関係等は、説明を明確にするため誇張していることがある。さらに、以下の説明において、同一の名称、符号については同一もしくは同質の部材を示しており、詳細説明を随時省略する。
【００２０】
図１ないし図８に示す絆創膏は、基材シート１の一方の面に、薬剤部２と貼着部３とを備える。薬剤部２は、軟膏薬を配設してなる部分であり、貼着部３は、皮膚あるいは基材シート１に貼着して、軟膏薬を患部に接触させた状態に保持するものである。
【００２１】
図１ないし図３に示す絆創膏は、横方向に延長された長方形の基材シート１の中央部に薬剤部２を設けて、この薬剤部２の両側に、すなわち、横方向に延長された基材シート１の両端部に貼着部３を設けている。図４ないし図６に示す絆創膏は、長方形の基材シート１の中央部に薬剤部２を設けて、この薬剤部２の外周部に貼着部３を設けている。図７と図８に示す絆創膏は、帯状に延長された基材シート１の一方の端部に薬剤部２を設けて、他方の端部に貼着部３を設けている。
【００２２】
本発明の絆創膏は、薬剤部２の軟膏薬を皮膚の患部に当てると共に、貼着部３によって、軟膏薬を皮膚の患部に当てた状態に保持するものである。したがって、本発明の絆創膏は、基材シートの形状や大きさ、さらに、基材シートに設けられる薬剤部と貼着部の形状、大きさ、及びその配置を特定するものでない。本発明の絆創膏は、様々な位置や形状の患部に対応できるように、多種多様の形状や構造とすることができる。すなわち、本発明の絆創膏は、薬剤部を患部に位置させた状態に貼着部で保持できる他の全ての構造とすることができる。
【００２３】
基材シート１は、絆創膏の基体となるシートであって、可撓性と柔軟性を有するシート材である。基材シート１には、織布、不織布、合成樹脂シート、紙等が使用できる。さらに、基材シート１は、用途に応じて、伸縮性や防水性を有するシート材を使用することもできる。基材シート１は、以上のシート材を所定の形状に裁断したものである。シート材は、たとえば、一定の幅で一定の長さに裁断されて、長方形の基材シート１となる。さらに、基材シート１は、図に示すように、端部やコーナー部を湾曲形状にカットして、皮膚に対する違和感を少なくしながら貼着できる。
【００２４】
薬剤部２は、基材シート１の表面に、亜鉛華軟膏を含む軟膏薬層５を設けている。図に示す薬剤部２は、基材シート１の表面に、支持体４を介して亜鉛華軟膏を含む軟膏薬層５を設けている。さらに、軟膏薬層５の表面には、亜鉛華軟膏が乾燥したり他の部位に付着するのを防止するために、保護フィルム６を積層している。基材シート１の表面に、支持体４を介して亜鉛華軟膏を設けるのは、亜鉛華軟膏を基材シート１の表面に保持するためである。亜鉛華軟膏は、その粘性により、保護フィルム６に付着しやすい。したがって、保護フィルム６を剥離するときに、亜鉛華軟膏が基材シート１から剥離するのを防止するために、基材シート１に支持体４を介して亜鉛華軟膏を積層する。ただ、軟膏薬層は、基材シートの表面に、直接に設けることもできる。
【００２５】
支持体４は、その表面に、亜鉛華軟膏を含浸させる状態で展延して軟膏薬層５を設けている。亜鉛華軟膏を含浸する支持体４には、ガーゼ、ネット、リント布、コットン、不織布、織布、綿、合成樹脂シートのいずれか、あるいはこれらの複数を積層したものが使用できる。亜鉛華軟膏は、好ましくは、繊維質を有する支持体４の繊維の隙間に入り込むように、支持体４の表面に展延されて、支持体４に積層される。亜鉛華軟膏は、たとえば、２０〜３００ｍｇ／ｃｍ２を、軟膏薬層５の厚さが０．２〜数ｍｍの厚さとなるように支持体４の表面に展延される。
【００２６】
図９に示す薬剤部２は、支持体４としてリント布４ａとネット４ｂを使用している。この薬剤部２は、基材シート１の表面に粘着層９を設け、この粘着層９にリント布４ａを積層し、このリント布４ａの表面に亜鉛華軟膏を所定の厚さに展延して軟膏薬層５としている。リント布４ａは、毛羽立った側を亜鉛華軟膏を展延する面としており、毛羽立った面の布目の奥まで亜鉛華軟膏が入り込むように亜鉛華軟膏を展延している。さらに、図の軟膏薬層５は、亜鉛華軟膏にネット４ｂを埋設しており、このネット４ｂを介して亜鉛華軟膏をリント布４ａの表面に積層して保持している。このように、ネット４ｂを埋設してなる軟膏薬層５は、図の矢印Ａで示すように、保護フィルム６を剥離するときに、矢印Ｂで示す方向にネット４ｂを押圧することによって、ネット４ｂを介して軟膏薬層５を基材シート１側に保持して、亜鉛華軟膏が保護フィルム６と一緒に剥離されるのを有効に防止できる特長がある。
【００２７】
図１０に示す薬剤部２は、支持体４としてガーゼ４ｃを使用している。この薬剤部２は、基材シート１の表面に粘着層９を設け、この粘着層９にガーゼ４ｃを積層して、このガーゼ４ｃの表面に亜鉛華軟膏を展延して軟膏薬層５としている。図に示すガーゼ４ｃは、複数層に積層しており、複数層に積層されたガーゼ４ｃの内部まで亜鉛華軟膏が入り込むように、いいかえると、表面側のガーゼ４ｃが亜鉛華軟膏に埋設される状態で亜鉛華軟膏を展延している。さらに、図の支持体４は、複数層のガーゼ４ｃの内部に合成樹脂シート４ｄを積層している。このように、合成樹脂シート４ｄを積層してなる支持体４は、亜鉛華軟膏の液状成分が基材シート１の表面に透過するのを阻止できる特長がある。
【００２８】
亜鉛華軟膏は、亜鉛華（酸化亜鉛）を含有する軟膏で、日本薬局方に定められた亜鉛華軟膏、亜鉛華単軟膏、アクリノール・亜鉛華軟膏、ほう酸亜鉛華軟膏（Bor Zink Salbe）等が使用できる。
【００２９】
日本薬局方に定められた亜鉛華軟膏は、定量時に酸化亜鉛（ＺｎＯ：81.39）を１８．５〜２１．５％含有するものである。この亜鉛華軟膏は、酸化亜鉛２００ｇに対して、流動パラフィン３０ｇ、白色軟膏を適量加えて、全量を１０００ｇとしたものを、軟膏剤の製法により製する。白色軟膏は、日本薬局方に記載される製法、すなわち、サラシミツロウを５０ｇ、セスキオレイン酸ソルビタンを２０ｇ、白色ワセリンを適量とって全量を１０００ｇとしたものを、軟膏剤の製法により製したものを使用する。
【００３０】
亜鉛華単軟膏は、軟膏基材として、白色軟膏に代わって単軟膏を使用して製したものである。単軟膏は、日本薬局方に記載される製法、すなわち、ミツロウを３３０ｇ、植物油を適量とって全量を１０００ｇとしたものを軟膏剤の製法により製したものを使用する。植物油には、ナタネ油、オリーブ油等が使用できる。亜鉛華単軟膏は、酸化亜鉛２００ｇに対して、流動パラフィン３０ｇ、単軟膏を適量加えて、全量を１０００ｇとしたものを、軟膏剤の製法により製することができる。
【００３１】
アクリノール・亜鉛華軟膏は、日本薬局方に定められたアクリノール・亜鉛華軟膏で、アクリノール（微粉）を１０ｇ、亜鉛華軟膏を９９０ｇとって全量を１０００ｇとしたものを、軟膏剤の製法により製したものを使用する。このアクリノール・亜鉛華軟膏は黄色を示す。
【００３２】
ほう酸亜鉛華軟膏（Bor Zink Salbe）は、上述の日本薬局方亜鉛華軟膏に、防腐・抗菌の目的でほう酸を添加したものである。さらに、本発明では、亜鉛華軟膏として、上述以外の割合で酸化亜鉛を調製したものや、上述以外の添加物を添加したものも使用できる。
【００３３】
薬剤部２は、軟膏薬層５の表面に保護フィルム６を積層している。この保護フィルム６は、絆創膏を使用しないときに、軟膏薬層５の軟膏薬が乾燥したり、他の部位に付着するのを防止する。保護フィルム６は、プラスチックフィルムや紙等が使用できる。プラスチックフィルムである保護フィルム６は、表面に凸部や凸条を有する形状に加工して、軟膏薬層５からスムーズに剥離できる。それは、保護フィルム６を剥離するときに、軟膏薬が保護フィルム６に付着するのを有効に防止して、軟膏薬が支持体４から剥がれるのを有効に防止できるからである。ただ、保護フィルム６には、表面が平滑面のものも使用できる。さらに、図に示す保護フィルム６は、剥離しやすいように、一端の辺に沿って折り返し部６Ａを設けている。この保護フィルム６は、折り返し部６Ａを摘んで、指先を軟膏薬で汚すことなく、簡単に剥離できる。
【００３４】
貼着部３は、基材シート１の表面に粘着剤を塗布して粘着層７を設けて、その表面に剥離シート８を積層している。剥離シート８は、プラスチックフィルムや紙等が使用できる。図に示す剥離シート８は、一端の辺に沿って折り返し部８Ａを設けている。この剥離シート８は、折り返し部８Ａを摘んで簡単に剥離できる。基材シート１の表面に塗布する粘着剤には、従来の絆創膏に汎用されているアクリル系粘着剤等の粘着剤が使用できる。ただ、皮膚のかぶれやアレルギー対策として、非天然ゴム系の粘着剤を使用することもできる。
【００３５】
図１ないし図３に示す絆創膏は、横方向に延長された基材シート１の両端部に貼着部３を設けている。各貼着部３は、各々貼着層７の表面に剥離シート８を積層している。この絆創膏は、中央部の薬剤部２の保護フィルム６を剥離して軟膏薬層５を表出させて、軟膏薬層５を患部に当て、貼着部３の剥離シート８を剥離して粘着層７を表出させて、粘着層７を患部周辺の皮膚に貼着して、軟膏薬層５を皮膚の患部に接触させた状態に保持する。
【００３６】
図４ないし図６に示す絆創膏は、長方形の基材シート１の中央部に設けた薬剤部２の外周部に貼着部３を設けている。貼着部３は、基材シート１の外周部である粘着層７を２分割して、表面に２枚の剥離シート８を積層している。この絆創膏は、薬剤部２の軟膏薬層５の表面に剥離シート８を積層しており、剥離シート８を保護フィルム６に兼用している。すなわち、剥離シート８と保護フィルム６とを一枚のシートとしている。２枚の剥離シート８は、軟膏薬層５の表面を被覆する状態で積層されている。この絆創膏は、軟膏薬層５の外周部分と表面を剥離シート８でカバーできるので、軟膏薬層５の亜鉛華軟膏が乾燥するのを有効に防止できる特長がある。
【００３７】
さらに、２枚の剥離シート８は、軟膏薬層５の中央部でラップする状態で積層している。２枚の剥離シート８は、図１１に示すように、一方（軟膏薬層側）の剥離シート８をラップ部分において折り返して折り返し部８Ａを設けると共に、この折り返し部８Ａの上方に、他方（表面側）の剥離シート８を積層してラップ部８Ｂとしている。この剥離シート８は、表面側の剥離シート８を剥離するときには、ラップ部８Ｂを摘んで剥離し、軟膏薬層側の剥離シート８を剥離するときには、折り返し部８Ａを摘んで、指先を軟膏薬で汚すことなく、簡単に剥離できる。
【００３８】
さらに、軟膏薬層５の中央部分で剥離シート８をラップさせている絆創膏は、各々の剥離シート８を剥離するときに、軟膏薬層５の亜鉛華軟膏が剥離シート８に付着するのを有効に防止できる特長がある。それは、軟膏薬層５の表面に積層された剥離シート８を、端縁から剥離することなく、中央部分から剥離するからである。図１２に示すように、剥離シート８を端縁から剥離する構造は、図の鎖線で示すように、軟膏薬層５が剥離シート８に付着して、支持体４から剥離されることがある。これに対して、図１１に示すように、剥離シート８を中央部分から剥離する構造は、剥離シート８に軟膏薬層５が付着するのを防止しながら、スムーズに剥離できる特長がある。
【００３９】
さらに、本発明の絆創膏は、図１３に示すように、剥離シート８を保護フィルム６に兼用して、２枚の剥離シート８で軟膏薬層５を被覆することもできる。この絆創膏は、図１ないし図３に示す絆創膏と同様に、中央部に薬剤部２を設けると共に、薬剤部２の両側に貼着部３を設けている。この絆創膏も、図１１に示すように、２枚の剥離シート８を軟膏薬層５の中央部でラップさせており、各々の剥離シート８を軟膏薬層５の中央部側から剥離できるようにしている。この絆創膏も、剥離シート８を剥離するときに、軟膏薬層５の亜鉛華軟膏が剥離シート８に付着するのを有効に防止できる特長がある。
【００４０】
図４ないし図６、及び図１３に示す絆創膏は、２枚の剥離シート８を剥離して、軟膏薬層５と粘着層７を表出させて、軟膏薬層５を患部に当て、粘着層７を患部周辺の皮膚に貼着して、軟膏薬層５を皮膚の患部に当てた状態に保持する。とくに、図４ないし図６に示す構造の絆創膏は、薬剤部２の周辺の全ての部分を皮膚に貼着できるので、基材シート１と皮膚の間から軟膏薬が露出したり、溢れ出るのを有効に防止できる特長がある。
【００４１】
さらに、図７と図８に示す絆創膏は、帯状の基材シート１の一方の端部に薬剤部２を設けて、他方の端部に貼着部３を設けている。この構造の絆創膏は、帯状の基材シート１を巻き付けできる箇所、たとえば、指や腕、脚等に使用される。図１４は、この絆創膏を指に巻き付けて使用する状態を示している。図に示すように、絆創膏は、一端の薬剤部２の保護フィルム６を剥離して軟膏薬層５を表出させて、軟膏薬層５を患部に当てた状態で、基材シート１を指に巻き付ける。指に巻き付けた基材シート１の終端に位置する貼着部３の剥離シート８を剥離して粘着層７を表出させて、粘着層７を指に巻き付けた基材シート１の表面に貼着して固定する。この状態で、軟膏薬層５を皮膚の患部に当てた状態に保持する。この絆創膏は、粘着層７を皮膚に貼着することなく軟膏薬層５を患部に保持できるので、粘着層７の成分で皮膚がただれるのを有効に防止できる特長がある。
【００４２】
この絆創膏は、使用する部位によって、基材シートの幅や長さを種々に変更して製造される。さらに、図７と図８に示す絆創膏は、薬剤部２の幅を、貼着部３の幅よりも広くしてなる帯状としているが、本発明の絆創膏は、薬剤部の幅と貼着部の幅を等しくすることも、さらには、その使用箇所に応じて、種々の形状とすることもできる。
【００４３】
さらに、図７に示す絆創膏は、保護フィルム６を２枚に分割している。２枚の保護フィルム６は、互いの境界部を軟膏薬層５の中央部に位置させている。図の絆創膏は、薬剤部２の軟膏薬層５を２分割しており、各々の表面に２枚の保護フィルム６を積層している。２枚の保護フィルム６は、図１５に示すように、軟膏薬層５の中央部でラップする状態で積層して配設している。２枚の保護フィルム６は、図１５に示すように、一方（軟膏薬層側）の保護フィルム６をラップ部分において折り返して折り返し部６Ａを設けると共に、この折り返し部６Ａの上方に、他方（表面側）の保護フィルム６を積層してラップ部６Ｂとしている。この保護フィルム６は、表面側の保護フィルム６を剥離するときには、ラップ部６Ｂを摘んで剥離し、軟膏薬層側の保護フィルム６を剥離するときには、折り返し部６Ａを摘んで、指先を軟膏薬で汚すことなく、簡単に剥離できる。さらに、軟膏薬層５の中央部分で保護フィルム６をラップさせている絆創膏は、各々の保護フィルム６を剥離するときに、軟膏薬層５の亜鉛華軟膏が保護フィルム６に付着するのを有効に防止しながらスムーズに剥離できる特長がある。それは、軟膏薬層５の表面に積層された保護フィルム６を、端縁から剥離することなく、中央部分から剥離するからである。図に示す絆創膏は、保護フィルムを２枚に分割しているが、保護フィルムは３枚以上に分割することもできる。この場合も、互いの境界部を軟膏薬層の中央部分に位置させて、この部分から剥離することができる。
【図面の簡単な説明】
【００４４】
【図１】本発明の一実施例にかかる軟膏薬を備える絆創膏の平面図である。
【図２】図１に示す絆創膏の剥離シートと保護シートを除去する状態を示す斜視図である。
【図３】図１に示す絆創膏の剥離シートと保護シートを除去した状態を示す平面図である。
【図４】本発明の他の実施例にかかる軟膏薬を備える絆創膏の平面図である。
【図５】図４に示す絆創膏の剥離シートを除去する状態を示す斜視図である。
【図６】図４に示す絆創膏の剥離シートを除去した状態を示す平面図である。
【図７】本発明の他の実施例にかかる軟膏薬を備える絆創膏の平面図である。
【図８】図７に示す絆創膏の剥離シートと保護シートを除去した状態を示す平面図である。
【図９】支持体の一例を示す拡大断面図である。
【図１０】支持体の他の一例を示す拡大断面図である。
【図１１】図５に示す絆創膏の軟膏薬層を表出させる状態を示す断面図である。
【図１２】軟膏薬層を表出させる他の状態を示す断面図である。
【図１３】本発明の他の実施例にかかる軟膏薬を備える絆創膏の斜視図である。
【図１４】図７に示す絆創膏の使用状態の一例を示す図である。
【図１５】図７に示す絆創膏の軟膏薬層を表出させる状態を示す断面図である。
【符号の説明】
【００４５】
１…基材シート
２…薬剤部
３…貼着部
４…支持体              ４ａ…リント布          ４ｂ…ネット
４ｃ…ガーゼ            ４ｄ…合成樹脂シート
５…軟膏薬層
６…保護フィルム        ６Ａ…折り返し部        ６Ｂ…ラップ部
７…粘着層
８…剥離シート          ８Ａ…折り返し部        ８Ｂ…ラップ部
９…粘着層
【図１】
2005334547.tif 000003
【図２】
2005334547.tif 000004
【図３】
2005334547.tif 000005
【図４】
2005334547.tif 000006
【図５】
2005334547.tif 000007
【図６】
2005334547.tif 000008
【図７】
2005334547.tif 000009
【図８】
2005334547.tif 000010
【図９】
2005334547.tif 000011
【図１０】
2005334547.tif 000012
【図１１】
2005334547.tif 000013
【図１２】
2005334547.tif 000014
【図１３】
2005334547.tif 000015
【図１４】
2005334547.tif 000016
【図１５】
2005334547.tif 000017